(57)【特許請求の範囲】
【請求項１】
適宜合成樹脂製のハンガー本体に、適宜合成樹脂製の一対のクリップを着脱自在に装着せしめて、ズボンやスカート等を支持できるようにしたクリップ付ハンガーであって、ハンガー本体の横架部の表裏面に、係止溝を長手方向に沿って夫々凹設すると共に、係止溝に連通する切欠部を所定位置に夫々設け、一方、クリップは、クリップ本体基端部分に横架部表裏面の係止溝に夫々係止される複数の係止爪片を突設して形成され、この係止爪片が、切欠部を通過して係止溝の任意の位置に係止可能となるよう構成したことを特徴とするクリップ付ハンガー。
【請求項２】
適宜合成樹脂製のハンガー本体に、適宜合成樹脂製の一対のクリップを着脱自在に装着せしめて、ズボンやスカート等を支持できるようにしたクリップ付ハンガーであって、ハンガー本体の横架部の表裏面に、係止突条を長手方向に沿って夫々突設すると共に、係止突条が途切れる切欠部を所定位置に夫々設け、一方、クリップは、クリップ本体基端部分に横架部表裏面の係止突条に夫々係止される複数の係止爪片を突設して形成され、この係止爪片が、切欠部を通過して係止突条の任意の位置に係止可能となるよう構成したことを特徴とするクリップ付ハンガー。
【請求項３】
ハンガー本体の横架部の表裏面に設けた係止溝、或いは、係止突条に、複数の係止小突部を所定間隔に配し、係止溝、或いは、係止突条に係止される係止爪片が、横架部長手方向での摺動時に於いて係止小突部に当接するよう構成したことを特徴とする請求項１または請求項２記載のクリップ付ハンガー。
【請求項４】
クリップを、適宜合成樹脂製のクリップ本体と、このクリップ本体に揺動自在に装着される適宜合成樹脂製の揺動レバーとで構成し、クリップ本体は、一対の挾持板を弾性変形可能な連結片を介して連設すると共に、一対の挾持板の基端縁に適数の係止爪片を夫々延設して構成され、揺動レバーの揺動操作により、一対の挾持板の先端縁部分で挾持状態が得られると共に、係止爪片で横架部の係止溝、或いは、係止突条の挾持状態が維持できるよう構成したことを特徴とする請求項１または請求項２または請求項３記載のクリップ付ハンガー。
【発明の詳細な説明】
【０００１】
【発明の属する技術分野】
本発明は、主に、適宜合成樹脂製のハンガー本体に、適宜合成樹脂製の一対のクリップを着脱自在に装着せしめて、ジャケット等を掛けられ、クリップによってズボンやスカート等を支持でき、更に、ハンガー本体の横架部にもズボン、スカート等の被掛止物を掛止でき、しかも、取扱い容易で、構成簡素で、堅牢なクリップ付ハンガーに関する。
【０００２】
【従来の技術】
従来、この種のクリップ付ハンガーとしては、種々のものが提供されている。例えば、ハンガー本体の桟材部分（横架部）に、一対の略洗濯ばさみ状のクリップを装着し、このクリップでズボンやスカート等を支持できるように構成してある。しかも、このクリップは、その中央部分がハンガー本体の桟材部分（横架部）に装着され、手指で摘む部分を桟材部分上方に配したものが数多く提供されている。
【０００３】
【発明が解決しようとする課題】
ところが、従来のクリップ付ハンガーにあっては、ハンガー本体の桟材部分（横架部）へのクリップの装着が面倒であったり、ハンガー本体の桟材部分（横架部）からのクリップの取外しが面倒であったり、或いは、取外しできなかったり、また、クリップの桟材部分（横架部）への取付け位置の変更が簡単に行えず、支持されるズボンやスカート等の幅等に応じた一対のクリップの間隔調節が面倒であったり、更に、クリップを装着していると、桟材部分（横架部）にズボンや、スカート等の被掛止物を掛止できなくなる難点等があった。
【０００４】
【課題を解決するための手段】
そこで、本発明は、前述の如き難点等を解消すると共に、取扱い易く、構成簡素で、堅牢で、より低コストに提供でき、クリップ付ハンガーとして最適なものを提供すべく創出されたもので、請求項１記載のクリップ付ハンガーＳは、適宜合成樹脂製のハンガー本体Ａに、適宜合成樹脂製の一対のクリップＢを着脱自在に装着せしめて、ズボンやスカート等を支持できるようにしたクリップ付ハンガーＳであって、ハンガー本体Ａの横架部１の表裏面に、係止溝２を長手方向に沿って夫々凹設すると共に、係止溝２に連通する切欠部３を所定位置に夫々設け、一方、クリップＢは、クリップ本体Ｂ１基端部分に横架部１表裏面の係止溝２に夫々係止される複数の係止爪片１３を突設して形成され、この係止爪片１３が、切欠部３を通過して係止溝２の任意の位置に係止可能となるよう構成する手段を採用した。
【０００５】
請求項２記載のクリップ付ハンガーＳは、適宜合成樹脂製のハンガー本体Ａに、適宜合成樹脂製の一対のクリップＢを着脱自在に装着せしめて、ズボンやスカート等を支持できるようにしたクリップ付ハンガーＳであって、ハンガー本体Ａの横架部１の表裏面に、係止突条４を長手方向に沿って夫々突設すると共に、係止突条４が途切れる切欠部３を所定位置に夫々設け、一方、クリップＢは、クリップ本体Ｂ１基端部分に横架部１表裏面の係止突条４に夫々係止される複数の係止爪片１３を突設して形成され、この係止爪片１３が、切欠部３を通過して係止突条４の任意の位置に係止可能となるよう構成する手段を採用した。
【０００６】
請求項３記載のクリップ付ハンガーＳは、ハンガー本体Ａの横架部１の表裏面に設けた係止溝２、或いは、係止突条４に、複数の係止小突部５を所定間隔に配し、係止溝２、或いは、係止突条４に係止される係止爪片１３が、横架部１長手方向での摺動時に於いて係止小突部５に当接するよう構成する手段を採用した。
【０００７】
請求項４記載のクリップ付ハンガーＳは、クリップＢを、適宜合成樹脂製のクリップ本体Ｂ１と、このクリップ本体Ｂ１に揺動自在に装着される適宜合成樹脂製の揺動レバーＢ２とで構成し、クリップ本体Ｂ１は、一対の挾持板１０を弾性変形可能な連結片１２を介して連設すると共に、一対の挾持板１０の基端縁に適数の係止爪片１３を夫々延設して構成され、揺動レバーＢ２の揺動操作により、一対の挾持板１０の先端縁部分で挾持状態が得られると共に、係止爪片１３で横架部１の係止溝２、或いは、係止突条４の挾持状態が維持できるよう構成する手段を採用した。
【０００８】
【発明の実施の形態】
以下、本発明を図示例に基づいて説明する。
本発明のクリップ付ハンガーＳは、適宜合成樹脂製のハンガー本体Ａの横架部１に、適宜合成樹脂製の一対のクリップＢを着脱自在に装着せしめたもので、ハンガー本体Ａにジャケット等を掛けられ（或いは、掛けられなくても良い）、一対のクリップＢによってズボンやスカート等を支持でき、更に、ハンガー本体Ａの横架部１にもズボン、スカート等の被掛止物を掛止できるようにしたものである。
【０００９】
具体的には、ハンガー本体Ａの横架部１の表裏面に、係止溝２を長手方向に沿って夫々凹設し、更に、係止溝２に連通する切欠部３を横架部１下部所定位置に夫々設け、一方、クリップＢは、クリップ本体Ｂ１基端部分に複数の係止爪片１３を突設して形成され、この複数の係止爪片１３が切欠部３を通過して横架部１表裏面の係止溝２の任意の位置に係止可能となるよう構成してある（図１、図２、図３参照）。
【００１０】
また、他のクリップ付ハンガーＳにあっては、ハンガー本体Ａの横架部１の表裏面に、係止突条４を長手方向に沿って夫々突設し、更に、係止突条４が途切れる切欠部３を所定位置に夫々設け、一方、クリップＢは、クリップ本体Ｂ１基端部分に複数の係止爪片１３を突設して形成され、この複数の係止爪片１３が切欠部３を通過して横架部１表裏面の係止突条４の任意の位置に係止可能となるよう構成してある（図５参照）。
【００１１】
ハンガー本体Ａは、例えば、ジャケット等が掛けられるようにその基部が略山形状を呈し、この基部中央上部には、フック部が形成され、基部の下部には、略長尺棒状の横架部１が設けられた構成となっている（図１、図２参照）。ところで、図６に示すように、ズボンやスカート等の被掛止物を掛止できるように形成されたハンガー本体Ａであっても良いし、その他、適宜構成のものを採用することができる。
【００１２】
横架部１に凹設される係止溝２は、横架部１の表裏面中央部分に配されると共に、横架部１の左右端部近傍まで設けられ、係止爪片１３の先端部分に合致すると共に、係止爪片１３の先端部分がスムーズに摺動できるよう形成されている。尚、係止溝２は、横架部１の表裏面上部を長手方向に沿って切設したような切欠部であっても良い。また、係止溝２は、横架部１の表裏面に同じ構成のものを設けても良いし、横架部１の表裏面で異なる構成のものを設けても良い。
【００１３】
切欠部３は、適数の係止爪片１３が通過できる幅に形成されている。更に、例えば、横架部１の端部寄りに配され、横架部１の表裏面方向に於いて合致するように設けられている。尚、切欠部３の配設位置は、横架部１の長手方向中央でも良いし、横架部１の左右端部寄りに夫々設けても良し、配設位置や数は自由である。
【００１４】
横架部１に突設される係止突条４は、横架部１の表裏面中央部分に配されると共に、横架部１の左右端部近傍まで設けられ、係止爪片１３の先端部分の凹溝に合致すると共に、係止爪片１３の先端部分がスムーズに摺動できるよう形成されている（図５参照）。尚、係止突条４は、横架部１の表裏面下部に配しても良いし、また、係止突条４は、横架部１の表裏面に同じ構成のものを設けても良いし、横架部１の表裏面で異なる構成のものを設けても良い。または、係止溝２と組合せることも可能である。
【００１５】
図中５は、ハンガー本体Ａの横架部１の表裏面に設けた係止溝２、或いは、係止突条４に、所定間隔で複数配される係止小突部で、この係止小突部５は、係止溝２、或いは、係止突条４に係止される係止爪片１３が、横架部１長手方向での摺動時に於いて当接して、不意の外力等によってクリップＢが横架部１の長手方向に沿って移動してしまうのを阻止できて、クリップＢを横架部１に安定的に装着しておけるように設けられたものである。尚、係止溝２、或いは、係止突条４に、複数の係止小突部５に代えて波形面や鋸歯面等を設けても良い。また、これらの配設位置は、適宜自由に設定できる。
【００１６】
クリップＢは、適宜合成樹脂製のクリップ本体Ｂ１と、このクリップ本体Ｂ１に揺動自在に装着される適宜合成樹脂製の揺動レバーＢ２とで構成されている。そして、クリップ本体Ｂ１は、一対の略帯板状の挾持板１０を弾性変形可能な一対の略細長帯板状の連結片１２を介して一体的に連設されると共に、一方の挾持板１０の基端寄り部分に設けた支点部１１と、他方の挾持板１０の基端寄り部分に設けた支点部１１とを合致せしめるように連結片１２で折曲げられ、一方の挾持板１０の基端縁左右に延設した一対の係止爪片１３と、他方の挾持板１０の基端縁中央に延設した一つの係止爪片１３とが向き合うように構成されている。それから、揺動レバーＢ２の揺動操作により、一対の挾持板１０の先端縁部分で挾持状態が得られると共に、一方の挾持板１０の係止爪片１３と他方の挾持板１０の係止爪片１３とで横架部１の係止溝２、或いは、係止突条４を表裏方向から挾持し、しかも、この挾持状態が確実に維持できるよう構成されている。尚、係止爪片１３は、係止溝２や係止突条４の形状、寸法等に応じて適宜構成、形状、寸法に設定されるものであり、また、その数等も適宜自由である。
【００１７】
揺動レバーＢ２は、手指によって揺動操作される操作部２０と、この操作部２０に一体的に連設されると共に、一対の挾持板１０の刳り貫き部分に収まる開閉規制部２１とからなり、開閉規制部２１には、略長円状の一対の窪溝が凹設され、この窪溝内周縁によって、一対の挾持板１０の刳り貫き部分に夫々突設した規制突起を圧迫して、一対の挾持板１０先端縁部分の開閉操作が可能となるように構成されている。ところで、揺動レバーＢ２を倒伏状態に揺動せしめたとき、開閉規制部２１の外周面部分をカムの如く構成すると共に、この外周面部分が横架部１に圧迫状態で接触するように形成して、横架部１に対するクリップＢの固定状態がより強固となるようにしても良い。
【００１８】
ところで、クリップ付ハンガーＳの具体的構成、形状、寸法、材質、ハンガー本体Ａの具体的構成、形状、寸法、材質、横架部１の具体的構成、形状、寸法、係止溝２の具体的構成、形状、寸法、切欠部３の具体的構成、形状、寸法、配設位置、数、係止突条４の具体的構成、形状、寸法、係止小突部５の具体的構成、形状、寸法、配設間隔、数、クリップＢの具体的構成、形状、寸法、材質、クリップ本体Ｂ１の具体的構成、形状、寸法、材質、挾持板１０の具体的構成、形状、寸法、材質、支点部１１の具体的構成、形状、寸法、連結片１２の具体的構成、形状、寸法、配設位置、係止爪片１３の具体的構成、形状、寸法、配設位置、揺動レバーＢ２の具体的構成、形状、寸法、材質、操作部２０の具体的構成、形状、寸法、開閉規制部２１の具体的構成、形状、寸法等は、図示例のもの等に限定されることなく適宜自由に設定できるものである。
【００１９】
【発明の効果】
従って、請求項１記載のクリップ付ハンガーＳは、適宜合成樹脂製のハンガー本体Ａに、適宜合成樹脂製の一対のクリップＢを着脱自在に装着せしめて、ズボンやスカート等を支持できるようにしたクリップ付ハンガーＳであって、ハンガー本体Ａの横架部１の表裏面に、係止溝２を長手方向に沿って夫々凹設すると共に、係止溝２に連通する切欠部３を所定位置に夫々設け、一方、クリップＢは、クリップ本体Ｂ１基端部分に横架部１表裏面の係止溝２に夫々係止される複数の係止爪片１３を突設して形成され、この係止爪片１３が、切欠部３を通過して係止溝２の任意の位置に係止可能となるよう構成したので、ハンガー本体Ａにジャケット等を掛けられ、クリップＢによってズボンやスカート等を支持でき、更に、ハンガー本体Ａの横架部１にもズボン、スカート等の被掛止物を掛止できるようになる。しかも、取扱いが容易で、構成が簡素となり、量産に適し、低廉で、堅牢で、ズボンやスカート等を支持するのに最適なクリップ付ハンガーＳとなる。
【００２０】
特に、ハンガー本体Ａの横架部１の表裏面に、係止溝２を長手方向に沿って夫々凹設すると共に、係止溝２に連通する切欠部３を所定位置に夫々設け、一方、クリップＢは、クリップ本体Ｂ１基端部分に横架部１表裏面の係止溝２に夫々係止される複数の係止爪片１３を突設して形成され、この係止爪片１３が、切欠部３を通過して係止溝２の任意の位置に係止可能となるよう構成したので、切欠部３によって、ハンガー本体Ａの横架部１へのクリップＢの装着、取外しが、簡単に且つ無理なく行え、しかも、係止溝２によって、クリップＢの横架部１への取付け位置の変更が簡単に行え、支持されるズボンやスカート等の幅等に応じた一対のクリップＢの間隔調節が簡単となる。更に、クリップＢを横架部１に装着しているときに、クリップＢの一部が横架部１上方に突出せず、ズボンや、スカート等の被掛止物を横架部１に掛止できるようになる。
【００２１】
また、請求項２記載のクリップ付ハンガーＳは、適宜合成樹脂製のハンガー本体Ａに、適宜合成樹脂製の一対のクリップＢを着脱自在に装着せしめて、ズボンやスカート等を支持できるようにしたクリップ付ハンガーＳであって、ハンガー本体Ａの横架部１の表裏面に、係止突条４を長手方向に沿って夫々突設すると共に、係止突条４が途切れる切欠部３を所定位置に夫々設け、一方、クリップＢは、クリップ本体Ｂ１基端部分に横架部１表裏面の係止突条４に夫々係止される複数の係止爪片１３を突設して形成され、この係止爪片１３が、切欠部３を通過して係止突条４の任意の位置に係止可能となるよう構成したので、ハンガー本体Ａにジャケット等を掛けられ、クリップＢによってズボンやスカート等を支持でき、更に、ハンガー本体Ａの横架部１にもズボン、スカート等の被掛止物を掛止できるようになる。しかも、取扱いが容易で、構成が簡素となり、量産に適し、低廉で、堅牢で、ズボンやスカート等を支持するのに最適なクリップ付ハンガーＳとなる。
【００２２】
特に、ハンガー本体Ａの横架部１の表裏面に、係止突条４を長手方向に沿って夫々突設すると共に、係止突条４が途切れる切欠部３を所定位置に夫々に設け、一方、クリップＢは、クリップ本体Ｂ１基端部分に横架部１表裏面の係止突条４に夫々係止される複数の係止爪片１３を突設して形成され、この係止爪片１３が、切欠部３を通過して係止突条４の任意の位置に係止可能となるよう構成したので、切欠部３によって、ハンガー本体Ａの横架部１へのクリップＢの装着、取外しが簡単に且つ無理なく行え、しかも、係止突条４によって、クリップＢの横架部１への取付け位置の変更が簡単に行え、支持されるズボンやスカート等の幅等に応じた一対のクリップＢの間隔調節が簡単となる。更に、クリップＢを横架部１に装着しているときに、クリップＢの一部が横架部１上方に突出せず、ズボンや、スカート等の被掛止物を横架部１に掛止できるようになる。
【００２３】
更に、請求項３記載のクリップ付ハンガーＳは、ハンガー本体Ａの横架部１の表裏面に設けた係止溝２、或いは、係止突条４に、複数の係止小突部５を所定間隔に配し、係止溝２、或いは、係止突条４に係止される係止爪片１３が、横架部１長手方向での摺動時に於いて係止小突部５に当接するよう構成したので、横架部１にクリップＢを装着しているときに、不意の外力等によってクリップＢが横架部１の長手方向に沿って移動してしまうのを確実に阻止できるようになると共に、クリップＢを横架部１に安定的に装着しておけるようになる。
【００２４】
そして、請求項４記載のクリップ付ハンガーＳは、クリップＢを、適宜合成樹脂製のクリップ本体Ｂ１と、このクリップ本体Ｂ１に揺動自在に装着される適宜合成樹脂製の揺動レバーＢ２とで構成し、クリップ本体Ｂ１は、一対の挾持板１０を弾性変形可能な連結片１２を介して連設すると共に、一対の挾持板１０の基端縁に適数の係止爪片１３を夫々延設して構成され、揺動レバーＢ２の揺動操作により、一対の挾持板１０の先端縁部分で挾持状態が得られると共に、係止爪片１３で横架部１の係止溝２、或いは、係止突条４の挾持状態が維持できるよう構成したので、揺動レバーＢ２の揺動操作によって、係止爪片１３で横架部１の係止溝２、或いは、係止突条４の挾持状態を確実に維持できるようになり、外力等によって、クリップＢが横架部１から脱落することのないものとなる。
【００２５】
特に、クリップＢを、適宜合成樹脂製のクリップ本体Ｂ１と、適宜合成樹脂製の揺動レバーＢ２とで構成したので、クリップＢ自体に金属材料が不要となるため、例えば、洋服等を掛けたまま検針器等を通過させることができ、検査（検針）用としても利用できるクリップ付ハンガーＳとなる。
【図面の簡単な説明】
【図１】本発明のクリップ付ハンガーを例示する斜視図である。
【図２】本発明のクリップ付ハンガーを例示する正面図である。
【図３】本発明のクリップ付ハンガーを例示する部分側断面図である。
【図４】本発明のクリップ付ハンガーのクリップを例示する分解斜視図である。
【図５】本発明の他のクリップ付ハンガーを例示する部分側断面図である。
【図６】本発明の他のクリップ付ハンガーを例示する正面図である。
【符号の説明】
Ｓ      クリップ付ハンガー
Ａ      ハンガー本体
１      横架部                        ２      係止溝
３      切欠部                        ４      係止突条
５      係止小突部
Ｂ      クリップ
Ｂ１    クリップ本体
１０    挾持板                        １１    支点部
１２    連結片                        １３    係止爪片
Ｂ２    揺動レバー
２０    操作部                        ２１    開閉規制部
【図１】
0004161332.tif 000002
【図２】
0004161332.tif 000003
【図３】
0004161332.tif 000004
【図４】
0004161332.tif 000005
【図５】
0004161332.tif 000006
【図６】
0004161332.tif 000007